(57)【要約】【課題】  本発明は、目視が可能な明るいところのみでしか有効活用できなかったモビールを、暗室や暗夜など暗いところで、夜空に浮かぶ星を想起させるものとして提供する。  また、明所では周囲やモビールの構造材が見えて、オーナメントの美しさや変化が分かりにくかったものを、暗所でオーナメントだけが視認でき、その結果、美しさや変化を今までになかった表現で提供するものである。【解決手段】  本発明は、発光材で作るか、またはオーナメント基材に発光塗料を塗布、あるいは発光材のシートを貼りつけるなどして、球形または半球形の発光オーナメントにし、モビールのバーの少なくとも一端に、直接取り付ける。【選択図】図１
2016074119.tif 000002
【特許請求の範囲】
【請求項１】
バーの少なくとも一端に、球形または半球形の発光材を使ったオーナメントを、直接取り付けたことを特徴とするモビール部品。
【請求項２】
半球形の発光部を持つ発光オーナメントであって、その発光部の投影面積が１０平方ｃｍ以下であることを特徴とした、請求項１に記載のモビール部品。
【請求項３】
平板形状であって、その片面を発光部とし、反対側の片面に発光材を用いていないことを特徴とした発光オーナメント。
【請求項４】
発光材で作られた平板形オーナメントあって、その平板形オーナメントの光を透過する割合が３０％以上であることを特徴とした、発光オーナメント。
【発明の詳細な説明】
【技術分野】
【０００１】
本発明は、蓄光材または蛍光材である発光材を使ったモビールに関するものである。
蓄光とは、照射されて光エネルギーを蓄えて発光する物質の性状をいい、蓄光素材として硫化亜鉛 (ZnS系) やアルミン酸ストロンチウム (SrAl2O4系) などが知られる。蓄光材は、それら蓄光素材を樹脂やガラスなどの基材に混入させたもので、硬質のものやシリコンゴムのように軟質のもの、塗料やインクで塗装や印刷により使用するものもある。
蛍光とは、Ｘ線や紫外線、可視光線などの短波長の電磁波（光）が照射されて発光する物質の性状をいい、蛍光素材としてフッ化カルシウム（CaF2）やフッ化リチウム（ LiF）などが知られる。蛍光材は、それら蛍光素材を樹脂やガラスなどの基材に混入させたもので、硬質のものやシリコンゴムのように軟質のもの、塗料やインクで塗装や印刷により使用するものもある。
【０００２】
蓄光素材は、短波長の可視光線や紫外線などの光エネルギーを吸収することで電子のエネルギーが高くなり、励起状態（物質的に不安定な状態）になる。不安定な状態となった蓄光素材は、基底状態（物質的に安定な状態）に戻ろうと励起状態から電子がより低い軌道に遷移するときに、発光現象が起こる。励起のための光照射を止めても、発光がしばらく持続する。
【０００３】
蛍光素材は、蓄光素材と同様短波長の可視光線や紫外線などの光エネルギーを吸収することで電子のエネルギーが高くなり、励起状態（物質的に不安定な状態）になる。不安定な状態となった蛍光素材は、基底状態（物質的に安定な状態）に戻ろうと励起状態から電子がより低い軌道に遷移するときに、発光現象が起こる。蓄光素材との違いは、励起のための光照射を止めると、発光が持続ぜす消えてしまうことにある。
【０００４】
以下、蓄光と蛍光は同様の技術要素をもつことから、単に「発光」と記載するときは、蓄光材が光を受けて、励起状態になり発光すること、または蛍光材が紫外線などを受けて、励起状態になり発光していること、またはその両方を言う。
また「発光材」とは、蓄光材または蛍光材またはその両方を言う。
また「発光部」とは蓄光材または蛍光材で構成されたり、蓄光塗料または蛍光素材が塗布されたり、蓄光インクまたは蛍光インクで印刷されていて、発光する部分を言う。なお、発光材はフィルム形状のものも含む。
【０００５】
モビールは、種々の飾り（以下、「オーナメント」と称する）と、概ね水平方向の、ある程度の剛性を持った線材または棒材（以下、「バー」と称する）と、バーとバー、オーナメントとバー、あるいはオーナメントとオーナメントを繋ぐ金具など（以下、「連結具」と称する）と、糸やゴム、チェーン、バネ、針金、棒などの、バーやオーナメントを吊るすための部材（以下「サスペンダー」と記載する）とで構成される。
モビールは、天井などの固定点からサスペンダーで吊るし、あるいはモビールバーを床面から突出させた固定点で支え、オーナメントとバーがバランスを取って安定するようにしたものである。モビールは、その随所に可動連接部または可動支持部があり、風などわずかな力が本体に加えられることで、バランスを保ちながらバーやオーナメントが動き、モビール全体の形状が複雑に予想しがたいような形に変化する。
バーを固定点で支えたモビールは「やじろべえ」とも呼ばれている。やじろべえには、サスペンダーの無いものも多い。
【０００６】
オーナメントはモビールに使う装飾部品で、厚紙、プラスチック、金属、木など硬質の素材に限らず、布や綿、薄い紙など軟質の素材のものもある。オーナメントは、モビールバーに直接固定されたものや、サスペンダーによって吊るされたものがあり、モビールバーの動きとともに、上下、左右、前後に、３次元的に移動し、かつ垂直軸または水平軸またはその他の軸において回動するものが多い。
【０００７】
バーは、オーナメントを吊るし、または支え・固定し・連結させてモビールを構成する。バーに直接オーナメントが取り付けられているものや、バーそのものがオーナメントになっている場合もある。バーが、視覚的に明確である場合はオーナメントになりやすい。バーはサスペンダーによって天井など上部から吊るされるか、床など下部から突出した突起に支えられているか、バーから突出させた突出部で支え部に支えられる。
【背景技術】
【０００８】
もともとモビールは、１９１０年頃のキネティック・アートという作品に動きを与えることで、空間と時間の双方による表現を目指したアートであった。さらに１９３２年、アメリカの彫刻家アレクサンダー・カルダーがモーターで動く作品群を発表し、それにモビールという名称を与えたもので、次第に機械仕掛けではなく空気の流れに応じて動く作品をモビールと言うようになった。
その経緯をからもわかるように、光のある明るい場所で展示されるものであり、光の無い暗い場所に置かれるものでない。従って、従来のモビールには、オーナメントを発光させるという技術的思想はなかった。
【０００９】
また、モビールはその動きを実現するために、オーナメントは軽く、可動支点部はできるだけ抵抗なく可動することが求められる。従って、ＬＥＤのイルミネーションのように外部から電気を電線を通じて供給し光らすことも困難であった。
ただし、電池を内蔵したＬＥＤランプを搭載したオーナメントは、ＬＥＤ照明の電源の入り切り操作や、電池の交換の必要性がある、オーネメントを均一に光らすのは難しい、オーナメントが重くなることによるモビールの動きが鈍くなるなど問題はあるが、発光の為の光の照射が必要がなく、輝度、光の点滅増減などの調整が可能である。
【００１０】
特許文献１の発明は、蓄光材料を添加した樹脂と蛍光材料を添加した樹脂を接触させ一体化したことを特徴とする樹脂発光体であって、本発明とは異なる。
【００１１】
特許文献２の発明の、請求項１、請求項９、請求項１０、請求項１２〜請求項１６及び請求項３２には「発光体」「発光手段」「発光フィルム」なる文言が記載されているが、請求項１２〜請求項１６の記載より、発光体はＬＥＤやＥＬのように電気エネルギーを使って発光させるもので、光エネルギーを貯める材料である蓄光材料や短波長の光を受けて光る蛍光材料を使った本発明とは、異なるものである。  さらに発光体の配置は、請求項９、及び請求項１０より、個別平面に配設されているものであり、請求項６に記載の運動要素が発光するものではない。  なお、この運動要素は、個別平面に配設されているものであり、本発明で定義するオーナメントではない。  また、請求項１８には、「発光塗料」、「発光フィルム」の記載があるが、個別平面が発光塗料、発光フィルムにより層付けされているものであって、本発明で定義するオーナメントのことではない。
【００１２】
特許文献３は、電気照明を使った発明であり、本発明とは異なる。
【先行技術文献】
【特許文献】
【００１３】
【特許文献１】特開平１１−７３８０７
【特許文献２】特表２００３−５１３１０
【特許文献３】特開２００８−２０９５８４
【特許文献４】特開２０１４−８３１３７
【発明の概要】
【発明が解決しようとする課題】
【００１４】
本発明は、目視が可能な明るいところ（以下「明所」という）のみでしか有効活用できなかったモビールを、暗室や暗夜など暗いところ（以下「暗所」という）で、夜空に浮かぶ星を想起させるものとして提供する。
また、明所では周囲やモビールの構造材が見えて、オーナメントの美しさや変化が分かりにくかったものを、暗所でオーナメントだけが視認でき、その結果、美しさや変化を今までになかった表現で提供するものである。
【課題を解決するための手段】
【００１５】
本発明は、発光材で作るか、またはオーナメント基材に発光塗料を塗布、あるいは発光材のシートを貼りつけるなどして、球形または半球形の発光オーナメントにしたものである。バーやサスペンダーが発光材に照らされて見えると、発光オーナメントが夜空の星に見えなくなってしまうので、発光材は明る過ぎないことも必要である。
【００１６】
明所では、オーナメントは大きくても問題ないが、暗所で発光する場合、輝度の低いオーナメントであっても面積が大きいと、発光オーナメント以外のモビール構造材やサスペンダーが、発光材の前に位置することで、影となって見えることも多くなり、明所での形状の一端が現れ、夜空の星のイメージが崩れてしまう。従って、１つのオーナメントの最大外形の視野角が１度以内に収まる程度の大きさが望ましい。室内でモビールを鑑賞する距離を２ｍと想定した場合、視野角１度の２ｍ先での実際の長さは約３．５ｃｍである。従って、このとき視野角１°が作る円の面積は １．７５×１．７５×π となり、約１０平方ｃｍとなる。
【００１７】
オーナメントが小さく、サスペンダーで吊るされている場合、モビールの動きによってオーナメントどうしが絡んでしまうことが多い。そこで、オーナメントが絡まないよう、バーの端に直接取り付けてあるものが望まれる。
【００１８】
請求項１に記載の発明は、バーの少なくとも一端に、球形または半球形の発光材を使ったオーナメントを、直接取り付けたモビール部品である。
【００１９】
請求項２に記載の発明は、球形の発光オーナメント、または半球形の発光オーナメントで、発光部の大きさは直径３．５ｃｍ以下、投影面積は約１０平方ｃｍである。
球形のオーナメントは、その半球部のみを発光部とし、残りの半球部に発光材を用いていないことを特徴とする。発光材を用いていない半球部は光を反射しにくい黒色であることが望ましい。また、バーはこの黒色の半球部の中央に、球形面から直角に出ているのが望ましい。
半球形の発光オーナメントはその半球面部のみを発光部とし、半球形の円形の平面部に発光材を用いていないことを特徴とする。半球形の円形の平面部は光を反射しにくい黒色であることが望ましい。また、バーはこの円形の平面部の中央に、円形面から直角に出ているのが望ましい。
【００２０】
請求項３に記載の発明は、平板形のオーナメントにおいて、その片面を発光部とし、反対側の片面は発光材を用いず、光を反射しにくい黒色としたものである。
平板に厚みがある場合、厚み部分も発光材を用いない方が望ましい。これは発光面で無い方の片面が視野に入った場合、厚み部分の発光材が輪となって見えてしまうもことを避けるためである。
【００２１】
請求項４に記載の発明は、発光材で作られた平板形オーナメントあって、その平板形オーナメントの光を透過する割合が３０％以上であることを特徴とした、発光オーナメントである。
光を透過させるために、発光材をつくるために発光素材を入れる樹脂やガラスなどの基材は透明であることが望ましい。また過量に発光素材を入れないように注意する必要がある。平板の厚みは３ｍｍ以下であることが望ましく、より望ましくは０．５ｍｍ〜２ｍｍである。０．５ｍｍ以下であると、強度的に弱くなるほか、発光量も少なくなり、望む効果も小さくなる。
【発明の効果】
【００２２】
蓄光または蛍光による発光は、輝度が比較的低く、その結果暗所では発光部のみが見え、発光部以外のサスペンダーやバー、支えなどがほとんど見えず、明所とは見え方が大きく異なる。
光を出さないものは視認できない程度の暗室や暗夜など暗所では、本発明のモビールの発光オーナメントの発光部だけが光るので、あたかも発光オーナメントが宙に浮いているように見える。
また、照明がある部屋や日中の屋外のような明所で、バーや連結具、サスペンダーなどが見えたままの形状と、暗所での発光部だけが見える形状との変化で、その意外性を楽しむことができる。
具体的には、星座や宇宙についての学習を手助けや、就寝後の眠りにつくまでにリラックスし癒される効果、不眠で困っているときの安眠を促すなどの効果も期待できる。
【００２３】
請求項１に記載の発明は、オーナメントが球形または半球形なので、夜空に浮かぶ星を想起させる。また、バーにオーナメントが直接取り付けられているので、オーナメントが絡むこともない。
【００２４】
請求項２に記載の発明は、その大きさから発光オーナメント以外のモビール構造材やサスペンダーが、影となって見えてしまう割合が比較的少ない。
半球または球の半球部分である発光半球部は、暗所では半球形の発光部のみが見え、見る方向によって月が満ち欠けしているように見える。
球形の半分を発光部とし、残りの半球部分を黒色とした発光オーナメントも、半球形の円形の平面部を黒色とした発光オーナメントも暗所での見え方はほぼ同じである。
【００２５】
請求項３に記載の発明は、モビールの動きで、オーナメントが回転あるいは移動し、発光材の面と、黒色面が入れ替わるとき、即ち発光部が見えている状態から、発光部が見えない状態になったとき、あるいはその逆になったとき、暗所では空間に突如光が現れたり、逆に見えていたものが、突如消えるなどの面白い現象が起こっているように見える。
【００２６】
請求項４に記載の発明は、平板形状の発光オーナメントが２枚以上あり、それぞれが重なって見えるとき、後ろの発光オーナメントの光が前のオーナメントを透過することで、光量が増し、明るくなったり、あるいは後ろと前の発光オーナメントの発光色が異なれば、光の混合となり、別の色調を見ることができる。
【図面の簡単な説明】
【００２７】
【図１】実施例１の明所における一状態を示した図
【図２】実施例１の図１の状態の暗所での見え方を示した図
【図３】実施例２の明所における一状態を示した図
【図４】実施例２の図３の状態の暗所での見え方を示した図
【図５】実施例３の明所における一状態を示した図
【図６】実施例４の明所における一状態を示した図
【図７】実施例５の明所における一状態を示した図
【図８】実施例５の図７の状態の暗所での見え方を示した図
【図９】実施例６の明所における一状態を示した図
【図１０】実施例７の明所における一状態を示した図
【図１１】実施例７の図１０の状態の暗所での見え方を示した図
【図１２】実施例７の可動錘の拡大断面図を示した図
【図１３】実施例８の明所における一状態を示した図
【図１４】実施例８の図１３の状態のオーナメントおよび錘を向って右または左から見た場合の図
【図１５】実施例８の図１４の状態の暗所での見え方を示した図
【図１６】実施例９の明所における一状態を示した図
【図１７】実施例９の図１６の状態のオーナメントを４種の角度から見た場合の図
【図１８】実施例９の図１７の状態の暗所での見え方を示した図
【図１９】実施例９の、球の半分を半球形発光オーナメントとしたモビールの、明所における一状態を示した図
【図２０】実施例１０の明所における一状態を示した図
【図２１】実施例１０の図２０の状態とは異なる状態を示した明所での図
【図２２】実施例１０の図２１の状態の暗所での見え方を示した図
【図２３】実施例１１の明所における一状態を示した図
【図２４】実施例１１の暗所における見え方を説明した図
【図２５】実施例１１の図２３の状態の暗所での見え方を示した図
【図２６】実施例１２の明所における一状態を示した図
【図２７】実施例１２の図２６の状態のモビールを暗所で下方から見上げたときの見え方を示した図
【図２８】実施例１３の明所における一状態を示した図
【図２９】実施例１３の図２８の状態の暗所での見え方を示した図
【発明を実施するための形態】
【００２８】
以下、本発明の実施の形態を実施例に基づいて説明する。なお、実施例では、オーナメントは既に受光し発光している状態であるものとして説明する。また、オーナメントは一色ではなく、青系、緑係、黄係、赤系などの色で着色発光させることも可能である。
【実施例】
【００２９】
（実施例１）  図１に本発明のバーが垂直立面上に揃った状態を立面の直角方向から見た図を示す。
球形の発光オーナメント１は、バー２の端部に取り付けられており、バー２は連結具３によって、モビール全体がバランスを保つよう組み立てられていて、サスペンダー４−１によって上部から吊るされている。
図２は、図１の状態で暗室または暗夜などの暗室で発光オーナメントを光らせた場合の見え方を示す。バー２や連結具３やサスペンダー４は発光していないため見えなくなって、あたかも発光オーナメントが星に見え、宙に浮いているように見える。
【００３０】
（実施例２）  図３に本発明のバーが垂直立面上に揃った状態をその立面の直角方向から見た図を示す。
発光オーナメント１は、バー２の端部に取り付けられており、またバー２は連結具３によって、モビール全体がバランスを保つよう組み立てられていて、サスペンダー４−１によって上部から吊るされている。本実施例は、太陽系を模しており、発光オーナメントの発光色も赤味の色や黄味の色、青味の色、茶味の色などでできていると、より太陽系をイメージしやすくなる。
図４は、図３の状態で暗室または暗夜などの暗室で発光オーナメントを光っている場合の見え方を示す。バー２や連結具３や吊糸４は発光していないため見えなくなっており、あたかも発光オーナメントが宙に浮いているように見える。
オーナメントは、風や指で押すことで動き、モビール全体の見た目の形状が大きく変わるが、連結具が回転自在でない場合、風が無く触りもしないで放置した状態であれば、ある程度の時間を経て、最も安定した状態に戻る。本実施例は図３の状態が最も安定した状態である。
【００３１】
（実施例３）  図５に本発明のバーが垂直立面上に揃った状態を立面の直角方向から見た実施例３を示す。
発光オーナメント１は、バー２−１の端部に取り付けられており、バー２−１はサスペンダー４−２によってバー２−２に吊るされており、バー２−２はサスペンダー４−３によって、バー２−３に吊るされ、モビール全体がバランスを保つよう組み立てられており、サスペンダー４−１によって上部から吊るされている。
【００３２】
（実施例４）    図６に本発明のバーが垂直立面上に揃った状態を立面の直角方向から見た実施例４を示す。天井のから２本のサスペンダー４−１により、バー２−３が吊り下げられている。該バー２−３は、図の左右、前後方向には揺れるが、図面に垂直な方向の軸を中心にした回転方向には揺れない。
【００３３】
（実施例５）    図７Ａに本発明の実施例５を示す。支持体５は、バー２−４の突起部２−４１を支持体５の頂点で支えている。図７Ｂはバー２−４の一端に、さらにバー２−５が引っ掛けられている状態を示す。バー２−４の一端２−４２は凹形状に屈曲しており、バー２−５の中央部には凸形状の屈曲部２−５２があり、その部分でバー２−５が吊り下げられている。
図８に実施例５の暗所での見え方を示す。
なお、実施例５は、「やじろべえ」とも言われているモビールである。
【００３４】
（実施例６）    図９に本発明のバーが垂直立面上に揃った状態を立面の直角方向から見た実施例６を示す。錘６は暗所では見えない。暗所で見た場合、オーナメントの並びから、図１１に示すように星座のカシオペア座に見える。
【００３５】
（実施例７）    図１０は、バー２に可動錘７を取り付けた、本発明のバーが垂直立面上に揃った状態を立面の直角方向から見た実施例７を示す。可動錘７によりモビールのオーナメントのバランス調整が容易にできる。
図１１は、図１０に示すモビールの暗所での見え方である。
図１２Ａの可動錘７は磁性を持った錘で、着磁する金属でできたバー２にくっつくことで、所望の位置に錘を止めることができる。図１２Ｂの可動錘７はその貫通する穴７−２に板バネ７−３が挿入されており、バー２の所望の位置に錘を止めることができる。
【００３６】
（実施例８）    図１３に実施例８を示す。バー２の一端に発光オーナメント１を取り付け、もう一端に黒色の錘６を取り付けたものである。サスペンダー４−２はポリウレタンなどのゴムでできている。
図１４Ａは、図１３の右手からオーナメント１と錘６を見た図で、オーナメント１は錘６により隠され一部しか見えない状態である。図１４Ｂは、図１３の左手からオーナメント１と錘６を見た図で、錘６はオーナメント１により隠され見えなくなっている。
図１５は、図１４の状態での暗所での見え方を示す。
オーナメント１と錘６のついたバー２を回転させ、サスペンダー４−２に撚りをかけ、その後放置するとサスペンダー４−２の撚りが戻り、オーナメント１と錘６のついたバー２は勢いよく回転する。その状態を暗所で水平方向方から見ると、図１４に示すＡおよびＢの見え方が交互に表れ、あたかも宇宙の食変光星をイメージさせる。なお、食変光星とは、共通重心の周りを回る２つの星が互いの光を覆い隠し合うことによって、みかけの明るさが変わるタイプの変光星である。
【００３７】
（実施例９）    図１６に本発明のバーが垂直立面上に揃った状態を立面の直角方向から見た実施例９を示す。半球形の発光オーナメント１−２の円形平面部１−３は黒色になっている。図１７Ａは図１６の水平方向手前右から、図１７Ｂは図１６の水平方向右から、図１７Ｃは図１６の水平方向手前左から、図１７Ｄは図１６の水平方向左から、見たものである。
図１８は、図１７の暗所での見え方を示す。図１７Ａは太めの半月形状に、図１７Ｂは満月形状に、図１７Ｃは三日月形状に、図１７Ｄは半球は見えずあたかも新月のようである。
図１９は、球の半分を半球形発光オーナメント１−２とし、後の半分を黒色の半球としたものである。暗所での見え方は、図１６の半球形の発光オーナメント１−２と同様、図１８に示すものとなる。
【００３８】
（実施例１０）    図２０に本発明のバーが垂直立面上に揃った状態を立面の直角方向から見た実施例１０を示す。４つのオーナメント１−９は平板状で片側を発光部、反対側を黒色の非発光部としている。
図２１は、４つのオーナメント１−９の内、二つが裏返った場合の明所での見え方を示し、図２２は、その暗所での見え方を示す。
【００３９】
（実施例１１）    図２３に混色型の実施例１１を示す。図２４は暗所での実施例の見え方を解説するための図で、実際には明所ではこのように見えない。図２５に図２３の暗所での見え方を示す。
光の３原色はＲ（レッド）、Ｇ（グリーン）、Ｂ（ブルー）であり、ＲとＧが重なればＹ（イエロー）に、ＧとＢが重なればＣ（シアン）に、ＢとＲが重なればＭ（マゼンタ）になる。そしてＲとＧとＢが重なるとＷ（ホワイト）にる。
少なくとも２つの異なる発光色を持つシースルー発光オーナメント（光透過型発光オーナメント）を持ち、見る方向とモビールの動きによりそれらのオーナメントが見た目重なり合うと、その２色が光の加色混合となって新たな色が見える。
【００４０】
実施例１１は、Ｒのシースルー発光オーナメント１−７と、Ｇのシースルー発光オーナメント１−６と、Ｂのシースルー発光オーナメント１−８が、重なる方向から見ている場合で、Ｒのシースルー発光オーナメント１−７とＢのシースルー発光オーナメント１−８が重なった部分１−７２はマゼンタ色に、Ｒのシースルー発光オーナメント１−７とＧのシースルー発光オーナメント１−６が重なった部分１−６３は黄色に、Ｂのシースルー発光オーナメント１−８とＧのシースルー発光オーナメント１−６が重なった部分はシアン色１−８２に見える。
また、Ｒのシースルー発光オーナメント１−７と、Ｇのシースルー発光オーナメント１−６と、Ｂのシースルー発光オーナメント１−８が重なった部分１−６２は白色に見える。
これらは発光オーナメントの暗所での効果であり、発光でないオーナメントのモビールでは実現しない。なお、ＲＧＢの輝度は、視点から奥にあるものほど高いと、黄色、シアン色、マゼンタ色、白色がより明確な色となり望ましい。
【００４１】
（実施例１２）  図２６に本発明の実施例１２を示す。オーナメントは、丸形、星形、月形などで、モビールバーまたはサスペンダーにより水平になるよう取り付けられている。
図２７は、暗所で下から見上げた時の見え方で、オーナメントの形状が分かりやすい。
オーナメントの厚さを２ｍｍ程度以下にすると、室内では、モビールより上にあるシーリングライトなどの光源からの光を、オーナメントが受光し、そのために発せられた光がオーナメントの本体を透過して、オーネメントの下側に向けても照射する。
オーナメントが重なって見えるとき、後ろの発光オーナメントの光が前のオーナメントを透過することで、光量が増し、明るくなったり、あるいは後ろと前の発光オーナメントの発光色が異なれば、光の混合となり、別の色調を見ることができる。
【００４２】
（実施例１３）    図２８に本発明のバーが垂直立面上に揃った状態を立面の直角方向から見た実施例１３を示す。サスペンダー４−１で吊り下げたバー２の端部に透明薄板８を付けている。
オーナメントが小さくなると、窓からの風の流れ、冷房や暖房による風、人の動きによる風の抵抗を受けにくく、モビールは止まりがちになる。そこで厚みの薄い透明の風受け板で、それらの風を受けモビールが動くきやすくするとよい。風受け薄板を透明にするのは、明所でオーナメントの受光障害物となることを避けるためと、暗所でオーナメントのからの発光が妨げられ見えなくなることを避けるためである。
実施例では、風を受ける透明薄板８をバー２に取り付けているが、サスペンダーに直接ぶらさげても構わない。
図２９に図２８の暗所での見え方を示す。透明薄板８は暗所では見えなくなっている。
【符号の説明】
【００４３】
１      発光オーナメント
１−２      半球形発光オーナメント
１−３      半球形発光オーナメントの黒色円板部
１−４      半球形黒色部
１−６      グリーン色発光のシースルー発光材
１−６２      ブルー色発光とレッド色発光とグリーン色発光の発光色が合わさった白色発光部
１−６３      レッド色発光とグリーン色発光の発光色が合わさった黄色発光部
１−７      レッド色発光のシースルー発光材
１−７２      ブルー色発光とレッド色発光の発光色が合わさったマゼンタ色発光部
１−８      ブルー色発光のシースルー発光材
１−８２      ブルー色発光とグリーン色発光の発光色が合わさったシアン色発光部
１−９      平面状のオーナメントで片側を発光部、反対側を非発光部としたオーナメント
２      バー
２−１      端部にオーナメントが直付けされているバー
２−２      端部にオーナメントが直付けされていないバー
２−３      端部にオーナメントが直付けされていないバー
２−４      突起部２−４１を持ったバー
２−４１      バー２−４の突起部
２−４２      バー２−４の一端の凹形屈曲部
２−５      屈曲部２−５１を持ったバー
２−５１      凸形屈曲部
３      連結具
４      サスペンダー
４−１      モビール本体を吊るすサスペンダー
４−２      バー吊るすサスペンダー
４−３      バー吊るすサスペンダー
５      支持体
６          錘
７          可動錘
７−２      可動錘７に開けられた貫通孔
７−３      板バネ
８      透明薄板
【図１】
2016074119.tif 000003
【図２】
2016074119.tif 000004
【図３】
2016074119.tif 000005
【図４】
2016074119.tif 000006
【図５】
2016074119.tif 000007
【図６】
2016074119.tif 000008
【図７】
2016074119.tif 000009
【図８】
2016074119.tif 000010
【図９】
2016074119.tif 000011
【図１０】
2016074119.tif 000012
【図１１】
2016074119.tif 000013
【図１２】
2016074119.tif 000014
【図１３】
2016074119.tif 000015
【図１４】
2016074119.tif 000016
【図１５】
2016074119.tif 000017
【図１６】
2016074119.tif 000018
【図１７】
2016074119.tif 000019
【図１８】
2016074119.tif 000020
【図１９】
2016074119.tif 000021
【図２０】
2016074119.tif 000022
【図２１】
2016074119.tif 000023
【図２２】
2016074119.tif 000024
【図２３】
2016074119.tif 000025
【図２４】
2016074119.tif 000026
【図２５】
2016074119.tif 000027
【図２６】
2016074119.tif 000028
【図２７】
2016074119.tif 000029
【図２８】
2016074119.tif 000030
【図２９】
2016074119.tif 000031